(57)【特許請求の範囲】
【請求項１】
医療・介護施設の病床毎に設置され、患者が看護師を呼出すための呼出ボタン（１ａ、１ａ、・・・）が接続される子機（２ａ、２ａ、・・・）と、前記患者による前記子機からの呼出しを報知するための廊下灯（３、３、・・・）と、スタッフステーションの施設内共用部に設置され、前記患者による前記子機からの呼出しに前記看護師が応答して通話を成立させるための親機（４）と、前記廊下灯及び前記親機を制御するための制御機（８）とを有するナースコールシステムであって、
前記呼出ボタンは、当該呼出ボタンが前記子機に有線接続されているとき、前記患者による当該呼出ボタンの落下を感知するための加速度センサ（１２）を備え、
前記子機は、前記加速度センサによる感知動作を検出し、前記看護師を呼出すための呼出信号を生成する子機ＣＰＵ（２４）を備え、
前記子機は、前記呼出ボタンが前記子機に有線接続されているとき、前記呼出ボタンの断線状態を検出するための断線検出回路（２２）を備え、
前記子機の前記子機ＣＰＵは、前記断線検出回路にて検出される前記断線状態及び前記加速度センサによる感知動作を同時のタイミングで検出したとき、前記看護師を緊急呼出すための緊急呼出信号を生成することを特徴とするナースコールシステム。
【請求項２】
前記呼出ボタン及び前記子機のうち何れかは、前記加速度センサによる感知動作を有効又は無効に設定するためにオン／オフが切換えられるセンサ設定スイッチ（１３）を備えることを特徴とする請求項１記載のナースコールシステム。
【発明の詳細な説明】
【技術分野】
【０００１】
本発明は、病院等の医療・介護施設内に設置されるナースコールシステムに係り、特に、呼出ボタンを使用した特定の呼出操作に因らずに患者からの呼出しを看護師に通知することができるナースコールシステムに関する。
【背景技術】
【０００２】
従来から、病床の患者が看護師を呼出すにあたっては、通常呼び出し、緊急呼出し、点滴の終了を知らせる確認呼び出し等、呼出種別毎で異なる所定の呼出操作を行うベッド子機（呼出ボタンと同意。）を有するナースコールシステムが開示されている（例えば、特許文献１を参照。）。
【先行技術文献】
【特許文献】
【０００３】
【特許文献１】特開２００８−７９８０１号公報
【発明の概要】
【発明が解決しようとする課題】
【０００４】
しかしながら、従来例のベッド子機を使用するにあたっては、呼出種別毎で異なる所定の呼出操作を行う必要があるため、患者の容態に応じて当該操作ができない場合には、呼出種別毎に異なる操作ボタン等を別途に用意する必要があった。
【０００５】
本発明は、この難点を解消するためになされたものであり、呼出ボタンに加速度センサを設け、患者による当該呼出ボタンの落下等を感知させることで、呼出ボタンを使用した特定の呼出操作に因らずに患者からの呼出しを看護師に通知することができるナースコールシステムを提供することを目的としている。
【課題を解決するための手段】
【０００６】
前述の目的を達成するため、本発明のナースコールシステムは、医療・介護施設の病床毎に設置され、患者が看護師を呼出すための呼出ボタンが接続される子機と、患者による子機からの呼出しを報知するための廊下灯と、スタッフステーションの施設内共用部に設置され、患者による子機からの呼出しに看護師が応答して通話を成立させるための親機と、廊下灯及び親機を制御するための制御機とを有する当該システムであって、呼出ボタンは、呼出ボタンが子機に有線接続されているとき、患者による当該呼出ボタンの落下を感知するための加速度センサを備え、子機は、加速度センサによる感知動作を検出し、看護師を呼出すための呼出信号を生成する子機ＣＰＵを備え、子機は、呼出ボタンが子機に有線接続されているとき、呼出ボタンの断線状態を検出するための断線検出回路を備え、子機の子機ＣＰＵは、断線検出回路にて検出される断線状態及び加速度センサによる感知動作を同時のタイミングで検出したとき、看護師を緊急呼出しするための緊急呼出信号を生成するものである。
【０００７】
また、本発明のナースコールシステムは、呼出ボタン及び子機のうち何れかは、加速度センサによる感知動作を有効又は無効に設定するためにオン／オフが切換えられるセンサ設定スイッチを備えている。
【０００８】
このようなナースコールシステムによれば、患者による呼出ボタンの落下を、当該呼出ボタンに備えられる加速度センサで感知させることによって、患者による子機からの呼出しを親機に通知することができ、これにより、患者によれば、当該患者からの呼出し（通常呼出し）を、呼出ボタンを使用した特定の呼出操作に因らずに看護師に通知することができる。
【０００９】
また、このようなナースコールシステムによれば、患者による呼出ボタンの落下とともに、例えば、この落下により呼出ボタンが子機から引き抜かれて当該子機との間の有線接続が断線状態になると、患者による子機からの緊急呼出しを親機に通知することができる。これにより、看護師によれば、呼出ボタンが例えば、患者によって何らかの緊急事由で引き抜かれたことを容易に確認でき、迅速な対応が可能となる。
【００１０】
また、このようなナースコールシステムによれば、呼出ボタンに備えられる加速度センサが有する機能を、例えば、患者の容態に対応させて有効／無効に切換えることができる。
【発明の効果】
【００１１】
本発明のナースコールシステムによれば、呼出ボタンに加速度センサを設け、患者による当該呼出ボタンの落下等を感知させることで、呼出ボタンを使用した特定の呼出操作に因らずに患者からの呼出しを看護師に通知することができる。
【図面の簡単な説明】
【００１２】
【図１】図１は、本発明の実施例によるナースコールシステムの全体構成を示すシステム説明図である。
【図２】図２は、本発明の実施例によるナースコールシステムにおいて、有線接続される呼出ボタン及び子機の具体的な構成を示すブロック図である。
【図３】図３は、本発明の実施例によるナースコールシステムにおいて、無線接続される呼出ボタン及び子機の具体的な構成を示すブロック図である。
【発明を実施するための形態】
【００１３】
以下、本発明のナースコールシステムを適用した実施の形態例について、図面を参照して説明する。
【００１４】
図１は、本発明の実施例によるナースコールシステムの全体構成を示すシステム説明図である。このナースコールシステムは、病院等の医療・介護施設に設置されるものであり、呼出ボタン１ａ、１ａ、・・・（１ｂ、１ｂ、・・・）、子機（ベッド子機）２ａ、２ａ、・・・（２ｂ、２ｂ、・・・）、廊下灯３、３、・・・、親機（ナースコール親機）４、携帯端末５、５、・・・、無線基地局６、６、・・・、交換機（ＰＢＸ交換機）７及び制御機８を有している。
【００１５】
なお、呼出ボタン１ａ、１ａ、・・・及び子機２ａ、２ａ、・・・は、同図（Ａ）に示すように、ボタンラインＬ1、Ｌ1、・・・を経由して有線接続されるものである。一方、呼出ボタン１ｂ、１ｂ、・・・及び子機２ｂ、２ｂ、・・・は、同図（Ｂ）に示すように、これら機器間が無線接続されるものである。
【００１６】
また、廊下灯３、３、・・・にはそれぞれ、子機ラインＬ2、Ｌ2、・・・を経由して子機２ａ、２ａ、・・・（２ｂ、２ｂ、・・・）が接続されている。また、交換機７には、基地局ラインＬ3、Ｌ3、・・・を経由して無線基地局６、６、・・・が接続されている。
【００１７】
さらに、制御機８には、廊下灯ラインＬ4を経由して廊下灯３、３、・・・が接続、例えば、渡り配線接続されているとともに、親機ラインＬ5を経由して親機４と、交換機ラインＬ6を経由して交換機７とがそれぞれ接続されている。
【００１８】
呼出ボタン１ａ、１ａ、・・・（１ｂ、１ｂ、・・・）はそれぞれ同様な構成であり、子機２ａ、２ａ、・・・（２ｂ、２ｂ、・・・）とともにナースコール子機を構成するものであって、病院等の医療・介護施設における病室内の各病床の患者が、例えば、親機４が設置されるスタッフステーション内に在室中の看護師及び／又は携帯端末５、５、・・・を携行して（当該施設内を）巡回中の看護師に対し、通常呼び出し、緊急呼び出し、点滴の終了を知らせる確認呼び出し等、呼出種別毎で異なる所定の呼出操作を行うための操作部１０と、前述の呼出種別毎で異なる呼出しが正常に実施されていることを患者に通知するために所定のパターンで点滅／点灯される呼出確認表示灯１１とを備えている。
【００１９】
子機２ａ、２ａ、・・・（２ｂ、２ｂ、・・・）は、それぞれ同様な構成で個別の子機番号を有しており、病院等の医療・介護施設における病室内の各病床の所定の位置である例えば、病床サイドに設置され、呼出ボタン１ａ、１ａ、・・・（１ｂ、１ｂ、・・・）の使用による患者からの呼出しを呼出種別毎で検出し、所定のフォーマットの呼出信号を生成するとともに、患者が看護師との間で通話を成立させるためのものである。
なお、有線接続又は無線接続される呼出ボタン１ａ、１ａ、・・・（１ｂ、１ｂ、・・・）及び子機２ａ、２ａ、・・・（２ｂ、２ｂ、・・・）は、例えば、病室内の病床数に
対応させて複数台、任意に設けることができる。
【００２０】
廊下灯３、３、・・・は、それぞれ同様な構成で個別の廊下灯番号を有しており、病院等の医療・介護施設における病室の出入口近傍である廊下先に設置されるものであって、子機２ａ、２ａ、・・・（２ｂ、２ｂ、・・・）にて生成される呼出信号をもとに呼出ボタン１ａ、１ａ、・・・（１ｂ、１ｂ、・・・）の使用による患者からの通常呼び出し、緊急呼出し、点滴の終了を知らせる確認呼び出し等を、呼出種別毎に異なるパターンで報知するためのものである。
【００２１】
親機４は、病院等の医療・介護施設における施設内共用部、ここでは、スタッフステーション内に設置され、呼出ボタン１ａ、１ａ、・・・（１ｂ、１ｂ、・・・）の使用による患者からの通常呼び出し、緊急呼出し、点滴の終了を知らせる確認呼び出し等を、呼出種別毎に異なるパターンで報知するとともに、これを確認した看護師が患者との間で通話を成立さるためのものである。なお、親機４には、通常、子機２ａ、２ａ、・・・（２ｂ、２ｂ、・・・）を個別呼出し又は一斉呼出しする機能や、携帯端末５、５、・・・を個別呼出し又は一斉呼出しする機能が備えられている。
【００２２】
また、親機４の構成態様としては、図示のようなボード型の当該親機に限定されず、例えば、ＰＣ（パーソナル・コンピュータ）型の当該親機も好適とされる。
【００２３】
携帯端末５、５、・・・は、病院等の医療・介護施設内を巡回中の看護師によってそれぞれ携行され個別の端末番号を有しており、制御機８の制御によって呼出ボタン１ａ、１ａ、・・・（１ｂ、１ｂ、・・・）の使用による患者からの通常呼び出し、緊急呼出し、点滴の終了を知らせる確認呼び出し等を、呼出種別毎に異なるパターンで報知するとともに、これを確認した看護師が患者との間で通話を成立さるためのものであって、例えば、ＰＨＳ端末が好適とされる。
【００２４】
なお、携帯端末５、５、・・・には、通常、親機４や他の携帯端末５、５、・・・との間で呼出し、通話を成立させる機能が備えられている。
【００２５】
無線基地局６、６、・・・は、携帯端末５、５、・・・をそれぞれ、無線制御するためのものである。また、交換機７は、基地局ラインＬ3、Ｌ3、・・・を経由して接続される無線基地局６、６、・・・をそれぞれ、回線制御するためのものである。
【００２６】
制御機８は、廊下灯ラインＬ4を経由して廊下灯３、３、・・・、親機ラインＬ5を経由して親機４、交換機ラインＬ6を経由して交換機７をそれぞれ接続する中継器として、病院等の医療・介護施設におけるスタッフテーション内等の施設内共用部に設置されており、これら接続された機器を制御するためのものである。
【００２７】
次に、図１（Ａ）に示すようにボタンラインＬ1、Ｌ1、・・・を経由して有線接続される呼出ボタン１ａ、１ａ、・・・及び子機２ａ、２ａ、・・・の具体的な構成について、図２のブロック図を参照して説明する。
【００２８】
図２に示す呼出ボタン１ａ、１ａ、・・・には、前述の操作部１０及び呼出確認表示灯１１と、加速度センサ１２、センサ設定スイッチ１３及び断線検出抵抗１４ａ、１４ｂとが備えられている。
【００２９】
この呼出ボタン１ａ、１ａ、・・・において、加速度センサ１２は、患者による当該呼出ボタンの落下を感知するためのものである。
【００３０】
センサ設定スイッチ１３は、加速度センサ１２による感知動作を有効又は無効に設定するためにオン／オフが切換えられるものである。具体的には、患者にとって操作部１０の使用による所定の呼出操作を行うことが困難である場合等にはセンサ設定スイッチ１３をオン状態として加速度センサ１２による感知動作を有効とする一方、操作部１０の使用による所定の呼出操作が容易である場合等にはセンサ設定スイッチ１３をオフ状態にして加速度センサ１２による感知動作を無効とし、誤動作の発生を防止できるものである。
【００３１】
断線検出抵抗１４ａ、１４ｂは、図示のような４線から構成されるボタンラインＬ1、Ｌ1、・・・において、操作ボタン１０の両端間、加速度センサ１２及び基準電位点の間に、それぞれ並列接続されている。
【００３２】
また、同図に示す子機２ａ、２ａ、・・・には、呼出検出回路２０、表示灯駆動回路２１、断線検出回路２２、通話回路２３、子機ＣＰＵ２４及び子機Ｉ／Ｆ（インターフェース）２５が備えられている。
【００３３】
この子機２ａ、２ａ、・・・において、呼出検出回路２０は、ボタンラインＬ1、Ｌ1、・・・を経由して有線接続される呼出ボタン１ａ、１ａ、・・・の操作部１０を使用した所定の呼出操作を検出するためのものである。
【００３４】
表示灯駆動回路２１は、ボタンラインＬ1、Ｌ1、・・・を経由して有線接続される呼出ボタン１ａ、１ａ、・・・の呼出確認表示灯１１を、通常呼び出し、緊急呼び出し、点滴の終了を知らせる確認呼び出し等、呼出種別毎に異なる所定のパターンで点滅／点灯させるためのものである。
【００３５】
断線検出回路２２は、例えば、患者による呼出ボタン１ａ、１ａ、・・・の落下に伴い、ボタンラインＬ1、Ｌ1、・・・が接続対象の当該子機から引き抜かれる等して断線状態であることを、断線検出抵抗１４ａ、１４ｂの両端間の電圧レベルの変動をもとに検出するものである。
【００３６】
通話回路２３は、患者が看護師との間で通話を成立させるための音声信号を送受信するものであり、例えば、図示しないマイク及びスピーカが備えられている。
【００３７】
子機ＣＰＵ２４は、当該子機の構成各部を制御するためのものであって、ボタンラインＬ1、Ｌ1、・・・を経由して有線接続される呼出ボタン１ａ、１ａ、・・・の加速度センサ１２による感知動作を検出し、スタッフステーション内に在室中の看護師及び／又は携帯端末５、５、・・・を携行して巡回中の看護師を呼出すための呼出信号を生成するとともに、前述の断線検出回路２２にて検出される断線状態及び加速度センサ１２による感知動作を同時のタイミングで検出したとき、前述の看護師を緊急呼出しするための緊急呼出信号を生成することができる。
【００３８】
子機Ｉ／Ｆ２５は、通話回路２３及び子機ラインＬ2、Ｌ2、・・・の間の信号伝送路（通話路）、子機ＣＰＵ２４及び子機ラインＬ2、Ｌ2、・・・の間の信号伝送路をそれぞれ形成するためのものである。
【００３９】
なお、呼出ボタン１ａ、１ａ、・・・に備えられるセンサ設定スイッチ１３は、当該呼出ボタンに代えて、図中波線で示すように、ボタンラインＬ1、Ｌ1、・・・及び子機ＣＰＵ２４の間で子機２ａ、２ａ、・・・の機器内に備えることもできる。
【００４０】
次に、図１（Ａ）、図２に示すように、ボタンラインＬ1、Ｌ1、・・・を経由して有線接続される呼出ボタン１ａ、１ａ、・・・及び子機２ａ、２ａ、・・・を有するナースコールシステムの具体的な動作について説明する。なお、呼出ボタン１ａ、１ａ、・・・の操作部１０を使用して、通常呼出し、緊急呼出し、点滴の終了を知らせる確認呼び出し等、呼出種別毎で異なる所定の呼出操作を行う場合の動作については、ナースコール通信分野において周知技術であるため、その説明は省略する。
【００４１】
病床の患者にとって、呼出ボタン１ａ、１ａ、・・・の操作部１０の使用による所定の呼出操作が困難である場合には、例えば、看護師によってセンサ設定スイッチ１３を予めオン状態に切換えておく。ここで、患者が（特定の）呼出ボタン１ａを（意図的に）落下させると、加速度センサ１２が感知してセンサ感知信号を生成する。
【００４２】
また、呼出ボタン１ａにボタンラインＬ1を経由して接続された子機２ａの子機ＣＰＵ２４は、加速度センサ１２からのセンサ感知信号を受信すると、スタッフステーション内に在室中の看護師及び／又は携帯端末５、５、・・・を携行して巡回中の看護師を呼出すための信号として、自子機が有する子機番号を付加した呼出信号を生成するとともに、表示灯駆動回路２１を制御し、呼出ボタン１ａの呼出確認表示灯１１を、通常呼出しを示す所定のパターンで点滅／点灯させることができる。ここまでの動作により、呼出ボタン１ａを落下させた患者によれば、前述の看護師への通常呼出しが正常に実施されていることを容易に確認できる。
【００４３】
さらに、子機２ａの子機ＣＰＵ２４にて生成された呼出信号は、子機ラインＬ2を経由して自病室の出入口近傍の廊下先に設置された廊下灯３に伝送される。この廊下灯３は、受信した呼出信号に付加されている子機番号に対応させて、呼出ボタン１ａを落下させた患者からの呼出しがあることの所定の呼出報知を行うとともに、受信した呼出信号に自廊下灯が有する廊下灯番号を付加し、廊下灯ラインＬ4を経由して制御機８に送出する。
【００４４】
制御機８は、受信した呼出信号を、親機ラインＬ5を経由して親機４に送出するとともに、同様に受信した呼出信号に付加されている子機番号及び廊下灯番号に対応して予め設定されている呼出先の携帯端末５、５、・・・を、交換機ラインＬ6、交換機７、基地局ラインＬ3、Ｌ3、・・・、無線基地局６、６、・・・を経由して呼出し、所定の呼出報知を行うことで、例えば、担当である巡回中の看護師に対して、呼出ボタン１ａを落下させた患者からの通常呼出しがあることを通知できる。
【００４５】
親機４は、受信した呼出信号に付加されている子機番号及び廊下灯番号に対応した所定の呼出報知を行うことで、スタッフステーション内に在室中の看護師に対して、呼出ボタン１ａを落下させた患者からの通常呼出しがあることを通知できる。
【００４６】
なお、前述のスタッフステーション内に在室中の看護師及び例えば、担当である巡回中の看護師のうち、最先に応答操作を行った看護師によれば、その操作が行われた親機４又は携帯端末５と、患者により落下した呼出ボタン１ａにボタンラインＬ1を経由して接続される子機２ａの通話回路２３との間の信号伝送路（通話路）が形成され、音声信号を送受信させることで通話が成立し、応答先の看護師によれば、その通話内容をもとに迅速な対応が可能となる。
【００４７】
次に、前述のような患者による呼出ボタン１ａの落下に伴い、ボタンラインＬ1が子機２ａから引抜かれる等して断線状態になると、子機２ａの子機ＣＰＵ２４は、スタッフステーション内に在室中の看護師及び／又は携帯端末５、５、・・・を携行して巡回中の看護師を緊急呼出しするための信号として、自子機が有する子機番号を付加した緊急呼出信号を生成するとともに、表示灯駆動回路２１を制御し、呼出ボタン１ａの呼出確認表示灯１１を、緊急呼出しを示す所定のパターンで点滅／点灯させることができる。ここまでの動作により、呼出ボタン１ａの引き抜きによりボタンラインＬ1を断線させた患者によれば、前述の看護師への緊急呼出しが正常に実施されていることを容易に確認できる。
【００４８】
また、子機２ａの子機ＣＰＵ２４にて生成された緊急呼出信号は、前述の呼出信号と同様、子機ラインＬ2を経由して自病室の出入口近傍の廊下先に設置された廊下灯３に伝送される。この廊下灯３は、受信した緊急呼出信号に付加されている子機番号に対応させて、呼出ボタン１ａの引き抜きによりボタンラインＬ1を断線させた患者からの緊急呼出しがあることの所定の緊急呼出報知を行うとともに、受信した緊急呼出信号に自廊下灯が有する廊下灯番号を付加し、廊下灯ラインＬ4を経由して制御機８に送出する。
【００４９】
制御機８は、受信した緊急呼出信号を、親機ラインＬ5を経由して親機４に送出するとともに、同様に受信した緊急呼出信号に付加されている子機番号及び廊下灯番号に対応して予め設定されている呼出先の携帯端末５、５、・・・を、交換機ラインＬ6、交換機７、基地局ラインＬ3、Ｌ3、・・・、無線基地局６、６、・・・を経由して呼出し、所定の緊急呼出報知を行うことで、例えば、巡回中であるグループ単位の複数の看護師に対して、呼出ボタン１ａの引き抜きによりボタンラインＬ1を断線させた患者からの緊急呼出しがあることを通知でき、この看護師によれば、呼出ボタン１ａが例えば、患者によって何らかの緊急事由で引き抜かれたことを確認し、直ちに患者の病床へ赴くことで迅速な対応が可能となる。
【００５０】
親機４は、受信した呼出信号に付加されている子機番号及び廊下灯番号に対応した所定の緊急呼出報知を行うことで、スタッフステーション内に在室中の看護師に対して、呼出ボタン１ａの引き抜きによりボタンラインＬ1を断線させた患者からの緊急呼出しがあることを通知でき、この看護師によれば、呼出ボタン１ａが例えば、患者によって何らかの緊急事由で引き抜かれたことを確認し、直ちに患者の病床へ赴くことで迅速な対応が可能となる。
【００５１】
なお、前述のスタッフステーション内に在室中の看護師及び例えば、巡回中であるグループ単位の複数の看護師のうち、最先に応答操作を行った看護師によれば、その操作が行われた親機４又は携帯端末５と、呼出ボタン１ａの引き抜きによりボタンラインＬ1が断線された子機２ａの通話回路２３との間の信号伝送路（通話路）が形成され、音声信号を送受信させることで通話が成立され、応答先の看護師によれば、その通話内容に応じて迅速な対応をとることもできる。
【００５２】
次に、図１（Ｂ）に示すように無線接続される呼出ボタン１ｂ、１ｂ、・・・及び子機２ｂ、２ｂ、・・・の具体的な構成について、図３のブロック図を参照して説明する。
【００５３】
図３に示す呼出ボタン１ｂ、１ｂ、・・・には、前述の操作部１０及び呼出確認表示灯１１と、操作検出回路１５、加速度センサ１６及びボタンＩ／Ｆ１７とが備えられている。
【００５４】
この呼出ボタン１ｂ、１ｂ、・・・において、操作検出回路１５は、操作部１０の使用による通常呼出し、緊急呼出し、点滴の終了を知らせる確認呼び出し等、呼出種別毎で異なる所定の呼出操作を検出し、その旨の呼出操作信号を生成するためのものである。また、加速度センサ１６は、当該呼出ボタンを携行した患者による転倒を感知するためのものである。
【００５５】
ボタンＩ／Ｆ１７は、操作検出回路１５にて生成される呼出操作信号、加速度センサ１６による感知動作をもとに生成されるセンサ感知信号をそれぞれ、無線信号で子機２ｂ、２ｂ、・・・に送出するとともに、子機２ｂ、２ｂ、・・・から無線信号で伝送されてくる表示灯駆動信号を受信し、呼出確認表示灯１１を所定のパターンで点滅／点灯させるためのものである。
【００５６】
また、同図に示す子機２ｂ、２ｂ、・・・、・・・には、呼出検出回路２６、表示灯駆動回路２７、通話回路２８、子機ＣＰＵ２９、ボタン側子機Ｉ／Ｆ３０及び廊下灯側子機Ｉ／Ｆ３１とが備えられている。
【００５７】
この子機２ｂ、２ｂ、・・・において、呼出検出回路２６は、無線接続される呼出ボタン１ｂ、１ｂ、・・・から伝送されてくる呼出操作信号を受信し、操作部１０を使用した所定の呼出操作を検出するためのものである。
【００５８】
表示灯駆動回路２７は、無線接続される呼出ボタン１ｂ、１ｂ、・・・の呼出確認表示灯１１を、通常呼び出し、緊急呼び出し、点滴の終了を知らせる確認呼び出し等、呼出種別毎に異なる所定のパターンで点滅／点灯させるための表示灯駆動信号を生成するものである。
【００５９】
通話回路２８は、患者が看護師との間で通話を成立させるための音声信号を送受信するものであり、例えば、図示しないマイク及びスピーカが備えられている。
【００６０】
子機ＣＰＵ２９は、当該子機の構成各部を制御するためのものであって、無線接続される呼出ボタン１ｂ、１ｂ、・・・の加速度センサ１６による感知動作を検出し、スタッフステーション内に在室中の看護師及び／又は携帯端末５、５、・・・を携行して巡回中の看護師を緊急呼出しするための緊急呼出信号を生成するとともに、表示灯駆動回路２７を制御して所定の表示灯駆動信号を生成させることができる。
【００６１】
ボタン側子機Ｉ／Ｆ３０は、呼出ボタン１ｂ、１ｂ、・・・のボタンＩ／Ｆ１７から呼出検出回路２６及び子機ＣＰＵ２９への信号伝送路を形成するとともに、表示灯駆動回路２７からボタンＩ／Ｆ１７への信号伝送路を形成するためのものである。また、廊下灯側子機Ｉ／Ｆ３１は、通話回路２８及び子機ラインＬ2、Ｌ2、・・・の間の信号伝送路（通話路）、子機ＣＰＵ２９及び子機ラインＬ2、Ｌ2、・・・の間の信号伝送路をそれぞれ形成するためのものである。
【００６２】
次に、図１（Ｂ）、図３に示すように、無線接続される呼出ボタン１ｂ、１ｂ、・・・及び子機２ｂ、２ｂ、・・・を有するナースコールシステムの具体的な動作について説明する。なお、呼出ボタン１ｂ、１ｂ、・・・の操作部１０を使用して、通常呼出し、緊急呼出し、点滴の終了を知らせる確認呼び出し等、呼出種別毎で異なる所定の呼出操作を行う場合の動作については、ナースコール通信分野において周知技術であるため、その説明は省略する。
【００６３】
呼出ボタン１ｂを携行して例えば、病室内を移動中の患者が転倒すると、この転倒を感知した加速度センサ１６が駆動してセンサ感知信号を生成する。また、加速度センサ１６にて生成されたセンサ感知信号は、ボタンＩ／Ｆ１７から子機２ｂのボタン側子機Ｉ／Ｆ３０に無線信号で伝送され、電気信号に変換された後、子機ＣＰＵ２９に送出される。
【００６４】
なお、前述のように呼出ボタン１ｂ、１ｂ、・・・及び子機２ｂ、２ｂ、・・・の間が無線接続される場合、転倒した患者により携行された呼出ボタン１ｂは、無線信号の送受信が可能な近接な距離に設置された特定の子機２ｂとの間で信号伝送路を形成することができる。
【００６５】
子機２ｂの子機ＣＰＵ２９は、センサ感知信号を受信すると、スタッフステーション内に在室中の看護師及び／又は携帯端末５、５、・・・を携行して巡回中の看護師を緊急呼出しするための信号として、自子機が有する子機番号を付加した緊急呼出信号を生成するとともに、表示灯駆動回路２７を制御し、呼出ボタン１ｂの呼出確認表示灯１１を、緊急呼出しを示す所定のパターンで点滅／点灯させるための表示灯駆動信号を生成する。この表示灯駆動信号は、ボタン側子機Ｉ／Ｆ３０から呼出ボタン１ｂのボタンＩ／Ｆ１７に無線信号で伝送され、電気信号に変換された後、呼出確認表示灯１１に送出されることによって、緊急呼出しを示す所定のパターンで点滅／点灯させることができる。ここまでの動作により、呼出ボタン１ｂを携行して転倒した患者によれば、前述の看護師への緊急呼出しが正常に実施されていることを容易に確認できる。
【００６６】
また、子機２ｂの子機ＣＰＵ２９にて生成された緊急呼出信号は、子機ラインＬ2を経由して自病室の出入口近傍の廊下先に設置された廊下灯３に伝送される。この廊下灯３は、受信した緊急呼出信号に付加されている子機番号に対応させて、転倒による患者からの緊急呼出しがあることの所定の緊急呼出報知を行うとともに、受信した緊急呼出信号に自廊下灯が有する廊下灯番号を付加し、廊下灯ラインＬ4を経由して制御機８に送出する。
【００６７】
制御機８は、受信した緊急呼出信号を、親機ラインＬ5を経由して親機４に送出するとともに、同様に受信した呼出信号に付加されている子機番号及び廊下灯番号に対応して予め設定されている呼出先の携帯端末５、５、・・・を、交換機ラインＬ6、交換機７、基地局ラインＬ3、Ｌ3、・・・、無線基地局６、６、・・・を経由して呼出し、所定の緊急呼出報知を行うことで、例えば、巡回中であるグループ単位の複数の看護師に対して、呼出ボタン１ｂを携行して転倒した患者からの緊急呼出しがあることを通知でき、この看護師によれば、直ちに患者の病床へ赴くことで迅速な対応が可能となる。
【００６８】
親機４は、受信した呼出信号に付加されている子機番号及び廊下灯番号に対応した所定の緊急呼出報知を行うことで、スタッフステーション内に在室中の看護師に対して、呼出ボタン１ｂを携行して転倒した患者からの緊急呼出しがあることを通知でき、この看護師によれば、直ちに患者の病床へ赴くことで迅速な対応が可能となる。
【００６９】
なお、前述のスタッフステーション内に在室中の看護師及び例えば、巡回中であるグループ単位の複数の看護師のうち、最先に応答操作を行った看護師によれば、その操作が行われた親機４又は携帯端末５と、呼出ボタン１ｂを携行して転倒した患者の周囲近傍の子機２ｂの通話回路２８との間の信号伝送路（通話路）が形成され、音声信号を送受信させることで通話が成立され、応答先の看護師によれば、その通話内容に応じて迅速な対応をとることもできる。
【００７０】
本発明のナースコールシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００７１】
例えば、本発明の実施例によれば、廊下灯３、３、・・・を有するナースコールシステムを適用したが、この廊下灯３、３、・・・が不備とされる当該システムにも適用することができる。この態様によれば、子機２ａ、２ｂ、・・・（２ｂ、２ｂ、・・・）及び制御機８の間が所定のラインを経由して接続される。
【００７２】
また、本発明の実施例によれば、巡回中の看護師により携行される携帯端末５、５、・・・、この携帯端末５、５、・・・との間で通信を行う無線基地局６、６、・・・及び交換機７を有するナースコールシステムを適用したが、これらの機器５、５、・・・、６、６、・・・、７が不備とされる当該システムにも適用することができる。
【符号の説明】
【００７３】
１ａ、１ａ・・・呼出ボタン
１２・・・加速度センサ
１３・・・センサ設定スイッチ
１ｂ、１ｂ・・・呼出ボタン
１６・・・加速度センサ
２ａ、２ａ・・・子機
２２・・・断線検出回路
（１３・・・センサ設定スイッチ）
２４・・・子機ＣＰＵ
２ｂ、２ｂ・・・子機
２９・・・子機ＣＰＵ
３、３・・・廊下灯
４・・・親機
８・・・制御機
【図１】
0005838111.tif 000002
【図２】
0005838111.tif 000003
【図３】
0005838111.tif 000004